(57)【要約】【課題】記憶媒体用ケースを手にとることなく、そのジャケットから記憶媒体の記録内容についての情報を読み取ることのできる車両用記憶媒体ジャケット表示装置を提供する。【解決手段】車両用記憶媒体ジャケット表示装置１０は、車両室内に設けられ、収容すべき記録媒体１７の記録内容に対応した情報を表示するジャケット２０が付された記録媒体用ケース１１を保持するホールダ１２と、該ホールダに保持された前記ケース１１のジャケット２０の画像を取得する撮像部１４と、該撮像部の動作を制御する制御部１４と、該制御部の制御下で撮像部１３により得られた画像を出力する表示部１５とを備える。【選択図】  図１
2004265526.tif 000002
【特許請求の範囲】
【請求項１】
車両室内に設けられ、収容すべき記録媒体の記録内容に対応した情報を表示するジャケットが付された記録媒体用ケースを保持するホールダと、該ホールダに保持された前記ケースの前記ジャケットの画像を取得する撮像部と、該撮像部の動作を制御する制御部と、該制御部の制御下で前記撮像部により得られた画像を出力する表示部とを備える車載用記録媒体ジャケット表示装置。
【請求項２】
前記制御部には、撮像部により得られた画像データを格納するメモリと、該メモリに格納された画像データから前記表示部に前記ジャケット画像の全体を表示するのに適した画像データを得るために前記画像データに加工処理を施す画像変換処理回路とが設けられている請求項１記載の記録媒体ジャケット表示装置。
【請求項３】
さらに、前記制御部に動作命令を出力する操作部を備え、前記画像変換処理回路は、該操作部からの動作命令に応じて、前記メモリ内に格納された画像データから拡大、縮小画像またはスクロール画像を得るために前記画像データに加工処理を施し、これにより、前記表示部は拡大、縮小画像またはスクロール画像を表示可能である請求項２に記載の車載用記録媒体ジャケット表示装置。
【請求項４】
前記撮像部は、前記ホールダの前記ジャケットに対向する壁面に取り付けられたスキャナである請求項１、２または３のいずれか一項に記載の車載用記録媒体ジャケット表示装置。
【請求項５】
前記撮像部は、前記ホールダの前記ジャケットに対向する壁面に設けられた窓を通して前記ジャケットの正面画像を撮像すべく配置されたカメラである１、２または３のいずれか一項に記載の車載用記録媒体ジャケット表示装置。
【請求項６】
前記ホールダと前記カメラとは、車両のセンタコンソールに設置されている請求項５記載の車載用記録媒体ジャケット表示装置。
【請求項７】
前記記録媒体はオーディオＣＤである請求項６に記載の車載用記録媒体ジャケット表示装置。
【発明の詳細な説明】
【０００１】
【発明の属する技術分野】
本発明は、車両に搭載されるＣＤプレイヤのようなオーディオ記録媒体の再生装置と共に車両に組み込まれる記録媒体用ジャケットの表示装置に関し、特に、ＣＤ−ＴＥＸＴ機能が与えられていないオーディオＣＤのジャケットを取り扱うのに好適な車載用記録媒体ジャケット表示装置に関する。
【０００２】
【従来の技術】
オーディオＣＤのような多数の記録媒体をそれぞれがＣＤケースに納められた状態で効率的に収納するＣＤ収納装置が提案されている（例えば、特許文献１参照。）。このような収納装置によれば、収容装置内に収容された多数のＣＤの中から、ＣＤケースの正面に付されたジャケットの内容を順次読み取り、そのＣＤの内容を確認した上で、聞きたいＣＤをそのＣＤケースごと、ＣＤ収納装置から取り出すことができる。
【０００３】
このようなＣＤ収納装置を運転者が自動車のような自己が運転する車両に持ち込むことにより、多数のＣＤを効率的に管理、収納することはできる。しかしながら、運転中は、その視線をＣＤ収納装置に向けると脇見運転になることから、ＣＤ収納装置内のＣＤの内容をそのＣＤケースのジャケットで逐次確認して、そのＣＤをＣＤ収納装置から取り出すことはできない。
【０００４】
オーディオＣＤがこれにＴＥＸＴ機能を与えられているものであれば、車両のインストルメントパネルに画像表示機能を有する表示装置が組み込まれてさえいれば、このＣＤにテキストデータで書き込まれた曲目、アーティスト等の情報をその表示装置に表示させることができる。従って、この場合、運転中であっても、表示装置を一瞥することにより、運転に差し障りを招くほどに運転視線を変えることなくＣＤの曲目等の情報を読み取ることができる。
【０００５】
【特許文献１】
実開平５−５８６８６号公報（第２頁、図２）
【０００６】
【発明が解決しようとする課題】
しかしながら、市販のオーディオＣＤで、ＣＤ−ＴＥＸＴ機能を有するものは少なく、このようなＣＤ−ＴＥＸＴ機能をもたないＣＤの内容を確認するには、このＣＤを収容したＣＤケースを手にとってそのジャケットの内容を読み取るか、あるいはＣＤをＣＤプレーヤに挿入した後、このＣＤを収容するＣＤケースを手にとってそのジャケットから読み取るしかない。
【０００７】
いずれにしても、演奏中のＣＤを収容していたＣＤケースを探し、運転中にそれを手にとってそのジャケットを眺めることは、とっさのハンドル操作に差し障りが生じるばかりでなく、運転中の視線が大きく変わることから、安全運転上好ましいことではない。
【０００８】
そこで、本発明の目的は、ＣＤのような記憶媒体を収容する記憶媒体用ケースを手にとって眺めることなく、そのジャケットから記憶媒体の内容についての情報を読み取ることのできる車両用記憶媒体ジャケット表示装置を提供することにある。
【０００９】
【課題を解決するための手段】
本発明は、オーディオＣＤのような記憶媒体を収容するケースには、記憶媒体の記憶内容に対応したアーティスト名、曲目等の情報が表示されたジャケットが取り付けられており、ケース表面を通してこのジャケットが目視可能であることに着目する。
【００１０】
本発明は、収容すべき記録媒体の記録内容に対応した情報を表示するジャケットが付された記録媒体用ケースを保持するホールダを車両室内に設け、該ホールダに保持された前記ケースのジャケットを撮像部により撮影し、制御部の制御下で撮像部により得られた画像を表示部に表示させることを特徴とする。
【００１１】
本発明に係る車載用記録媒体ジャケット表示装置では、ジャケットが付された記録媒体収納用ケースを所定の姿勢でホールダに配置することにより、このホールダに配置された前記ケースのジャケットの画像を撮像部で捉えることができる。この撮像部によって得られた画像は、例えば車両のインストルメントパネルに組み込まれた画像表示装置のような表示部に表示される。
【００１２】
従って、運転中であっても、運転者は、記憶媒体用ケースをホールダに配置すれば、これを手に取るって眺めることなく、また運転視線を大きく変えることなく、前記表示部を一瞥することにより、前記表示部の表示画面からジャケットに表示された曲目、演奏時間等の各情報を読み取ることができる。
【００１３】
また、必要に応じて、前記表示部の表示画面からジャケットに施されたデザインを楽しむことができ、記憶媒体が例えばオーディオＣＤである場合、このデザインから曲のもつイメージを膨らませることができ、たとえ運転中であっても、音楽をジャケットから与えられるイメージと共に楽しむことができる。
【００１４】
前記制御部に前記撮像部からの画像データを格納するメモリと、該メモリに格納された画像データに変換処理を施す画像変換処理回路とを設け、この画像変換処理回路の変換処理機能により前記表示部の画面全体を有効に利用して該画面全体にジャケットの全体を表示させることができる。これにより、ケースのジャケット面の全体を最も見易い状態で表示させることができる。
【００１５】
また、動作命令を出力する操作部を設け、該操作部からの動作命令に応じた前記画像変換処理回路の変換処理により、前記メモリに格納された画像データから拡大、縮小画像またはスクロール画像を得ることができる。この拡大、縮小表示機能およびスクロール機能は、所望の情報部分を的確に拡大表示することを可能とすることから、これにより例えば曲名のような情報を迅速かつ正確に読み取ることができる。
【００１６】
前記撮像部は、ホールダの前記ジャケットに対向する壁面に取り付けられたスキャナで構成することができる。
【００１７】
また、前記撮像部は、ホールダの前記ジャケットに対向する壁面に設けられた窓を通して前記ジャケットの正面画像を撮像するカメラで構成することができる。このカメラは、ＣＣＤのような固体撮像素子を備えるカメラを採用することができる。
【００１８】
前記ホールダおよびカメラは、車両のセンタコンソールに設置することが、安全上、使い勝手およびスペースの有効利用の上で、望ましい。
【００１９】
前記記録媒体はオーディオＣＤのような記録媒体に適用することができる。
【００２０】
【発明の実施の形態】
以下、本発明を図示の実施の形態に沿って詳細に説明する。
【００２１】
図１は、本発明に係る記録媒体用ジャケット表示装置がオーディオＣＤすなわち音楽ＣＤに用いられた例を示す。
【００２２】
本発明に係る音楽ＣＤ用ジャケット表示装置１０は、ＣＤケース１１を保持するホールダ１２と、該ホールダに装着されたＣＤケース１１のジャケットを撮影する撮像部１３と、該撮像部の動作を制御するための制御部１４と、該制御部の制御下で撮像部１３の撮影画像を表示する表示部１５とを備える。
【００２３】
制御部１４には、撮像部１３で得られた画像情報を格納するメモリ１４ａと、撮像部１３で得られた画像情報を加工するための画像変換処理回路１４ｂとが設けられ、制御部１４は操作部１６に設けられた操作ボタン１６ａおよび１６ｂの操作によって与えられる動作命令に応じて、撮像部１３および表示部１５の作動を制御する。メモリ１４ａは、図１に示す例では、画像変換処理回路１４ｂの一部として該画像変換処理回路内に設けられている。メモリ１４ａは、画像変換処理回路１４ｂとは別に制御部１４内に設けることができ、あるいは制御部１４とは別に設けることができる。
【００２４】
ＣＤケース１１は、図２に示すように、音楽用ＣＤ１７を収容するための円形凹所１８ａが形成された合成樹脂材料から成るケース本体１８と、該ケース本体に枢着された蓋体１９とを備える。凹所１８ａの中央部には、凸状の係止部１８ｂが設けられている。係止部１８ｂは、従来よく知られているように、ケース本体１８内で音楽用ＣＤ１７の中央孔１７ａの縁部に解除可能に係合するように、該中央孔を受け入れる。蓋体１９は透明な樹脂材料からなる。この蓋体１９は、凹所１８ａ内への音楽用ＣＤ１７の出し入れのために、開閉可能にケース本体１８に枢軸１９ａで枢着されている。
【００２５】
蓋体１９の内面には、ジャケット２０を挟み込むための係止爪１９ｂが設けられている。ジャケット２０の表面２０ａには、音楽用ＣＤ１７に記録された曲についての情報あるいそれにふさわしいデザインが施されている。またジャケット２０の裏面２０ｂには、収録された曲名、演奏時間等の情報が記載されている。
【００２６】
ジャケット２０は、蓋体１９が閉鎖された状態に保持されたとき、その表面２０ａが蓋体１９の外面側に位置するように、蓋体１９の内面で係止爪１９ｂに係止されている。
【００２７】
ＣＤケース１１から取り出された音楽用ＣＤ１７が図示しないＣＤプレーヤのような車載オーディオ装置に装着される。また、音楽用ＣＤ１７が取り出されて空になったＣＤケース１１の蓋体１９が閉鎖された状態で、このＣＤケース１１がホールダ１２に挿入される。この際、ジャケット２０の歌詞等を記載した所望の頁を表示したい場合には、予めジャケット２０の所望の頁が蓋体１９の外面側に位置するように、ジャケット２０が係止爪１９ｂで蓋体１９に取付けられる。
【００２８】
ホールダ１２は、図３に示す例では、車両のセンタコンソール２１に形成された一対の対向壁面１２ａ、１２ａを有する凹部からなる。凹部１２は、車両のハンドブレーキ２２の操作に差し障りのない領域で、センタコンソール２１の上部に開放する。
【００２９】
撮像部１３は、スキャナからなる。スキャナ１３は、そのスキャナ面１３ａがホールダ１２の一対の対向壁面１２ａ、１２ａの一方を構成するように、センタコンソール２１に組み込まれている。ＣＤケース１１は、そのジャケット面である蓋体１９がスキャナ１３側となるように、ホールダ１２に挿入される。
【００３０】
スキャナ１３は、操作部１６に設けられたオン・オフ操作ボタン１６ａが操作されると、制御部１４の制御下で、ＣＤケース１１のジャケット面（２０ａ）の画像、すなわち蓋体１９の外面側に向けられたジャケット２０の所望頁の画像を読み取り、読み取った画像情報をメモリ１４ａに格納する。
【００３１】
このメモリ１４ａに格納された画像情報は、画像変換処理回路１４ｂに送られる。画像変換処理回路１４ｂは、図示しないが例えばインストルメントパネルに組み込まれた画像表示装置であるディスプレイ装置のような表示部１５上に、ＣＤジャケットの全体画像が表示できる画像の大きさに画像データを変換し、メモリ１４ａに保存する。画像変換処理回路１４ｂによる処理後の画像データをメモリ１４ａとは別の他のメモリ（図示せず）に格納することができる。しかしながら、図示の通り、変換処理後の画像データを同一のメモリ１４ａに格納することにより、構成の簡素化を図ることができる。
【００３２】
制御部１４は、適正な大きさの画像のデータに変換されたメモリ１４ａ内の画像データを表示部１５に出力することにより、この表示部１５の画面全体にＣＤジャケットの全体画像を表示させる。
【００３３】
操作部１６に設けられた画像変換ボタン群１６ｂの各ボタンには、画像の拡大、縮小操作機能およびスクロール操作機能がそれぞれ与えられている。画像変換ボタン群１６ｂの操作により、拡大または縮小命令が制御部１４に出力されると、メモリ１４ａに格納された画像データは、画像変換処理回路１４ｂにより、さらに拡大あるいは縮小表示するための画像データに変換され、この変換データがメモリ１４ａに格納される。従って、画像変換ボタン群１６ｂの拡大、縮小操作によって、表示部１５に表示されるＣＤジャケット画像を拡大あるいは縮小することができる。
【００３４】
また、画像変換ボタン群１６ｂの操作により、スクロール命令が制御部１４に出力されると、メモリ１４ａに格納された画像データにより表示部１５に表示されるＣＤジャケット画面をスクロールすることができる。
【００３５】
本発明に係る音楽ＣＤ用ジャケット表示装置１０の動作を図４に示すフローチャートに沿って説明する。
【００３６】
音楽用ＣＤ１７が取り出されたＣＤケース１１は、蓋体１９を閉じた状態で、そのジャケット面（２０ａ）がスキャナ１３側になるように、ホールダ１２に挿入される（ステップＳ１）。ＣＤケース１１をホールダ１２に挿入した状態で、操作者が操作部１６のオン・オフ操作ボタン１６ａを押すと（ステップＳ２）、スキャナ１３が作動し、ＣＤケース１１のジャケット画面が得られる（ステップＳ３）。
【００３７】
このとき、制御部１４は、該制御部に画像変換ボタン群１６ｂの操作による動作命令の入力の有無を判定する（ステップＳ４）。画像変換ボタン群１６ｂの操作により、制御部１４が例えば画像の拡大あるいは縮小命令を受けると、またはスクロール命令を受けると、その命令に従って、画像変換処理回路１４ｂを作動させる（ステップＳ５）。この画像変換処理回路１４ｂの作動により、該画像変換処理回路を経て変換された画像データが表示部１５に出力され（ステップＳ６）、これにより、表示部１５による表示画像は拡大、縮小あるいはスクロールされる。
【００３８】
ステップＳ４で画像変換ボタン群１６ｂが操作されていないと判断されると、制御部１４は、メモリ１４ａ内に格納された大きさの画像のデータを表示部１５に出力し（ステップＳ６）、これにより表示部１５にはジャケット画面の略全体画面が表示される。
【００３９】
従って、運転者は、運転中であっても、運転姿勢を変えずに、単にＣＤケース１１をホールダ１２に挿入した後、操作部１６を操作することにより、ＣＤケース１１の蓋体１９に取り付けられたジャケット２０の表示情報をインストルメントパネルに設置された表示部１５に目線を僅かに移すだけで、瞬時にこの表示部１５から読み取ることができる。
【００４０】
また、画像変換処理回路１４ｂの画像変換機能により、前記表示部の画面全体を有効に利用して該画面全体にジャケット面の全体を表示させることができるのでＣＤケース１１のジャケット面すなわちジャケット２０の所望の頁の全体が最も見易い状態で表示される。
【００４１】
また、予めジャケット表紙のデザインあるいは所望の歌詞カードの頁を蓋体１９の外面側にセットしておくことにより、このジャケットデザインや歌詞カードを表示部１５に表示させることができ、画像変換ボタン１６ｂの操作により、画像の必要な部分を拡大し、あるいはスクロールすることができ、必要な情報を迅速に読み取ることができる。
【００４２】
また、聞き終えた音楽用ＣＤ１７のＣＤケース１１はホールダ１２内に保持されていることから、この音楽用ＣＤ１７をオーディオ装置から取り出したときに、そのケースを探し回る必要はなく、音楽用ＣＤ１７を迅速に適切なＣＤケース１１に収容することができる。
【００４３】
ホールダ１２は、前記したセンタコンソール２１に限らず、ＣＤケース１１の容量分のスペースを確保でき、運転の妨げにならない場所に設置することができる。たとえば、インストルメントパネル上の空きスペースにホールダ１２を設け、または運転者の左膝が当たるセンタコンソール２１の右側部分にＣＤケース１１が上方から挿入できるようにホールダ１２を設け、あるいはホールダ１２を天井に設置することもできる。
【００４４】
図５は、撮像部１３がカメラから成る例を示す。図５に示す例では、ホールダ１２の対向壁面１２ａ、１２ａの一方には、窓１２ｂが形成されている。カメラ１３は、この窓１２ｂを通してＣＤケース１１のジャケット面（２０ａ）が撮影可能なように、窓１２ｂに向けられている。このカメラ１３には、ＣＣＤのような固体撮像素子を用いることができる。カメラ１３は、オン・オフ操作ボタン１６ａが操作されたとき制御部１４を経てシャッタ命令を受けると、前記したスキャナ１３におけると同様な制御部１４の制御下で動作する。これにより、図３に示した例におけると同様に、インストルメントパネル上の表示部１５にジャケット２０からの所望の情報を表示させることができる。
【００４５】
撮像部１３としてカメラを用いる場合、カメラ１３と被写体であるジャケット面（２０ａ）との間に必要な距離を確保するために、図示のとおり、センタコンソール２１にホールダ１２およびカメラ１３を設置することが好ましい。
【００４６】
前記したところでは、表示部１５をインストルメントパネル上に設けた例について説明したが、表示部１５は、運転視線を大きく変えない範囲であれば、運転視線を妨げない所望位置に設置することができる。
【００４７】
また、オーディオＣＤ用ケースについて説明したが、本発明はこれに限らず、種々のオーディオＣＤおよびその他の記録媒体収納ケースのジャケット情報の読み取りに適用することができる。
【００４８】
【発明の効果】
本発明によれば、記録媒体収容用ケースを手に取ることなく、運転中であっても運転視線を大きく変えることなく、表示部を一瞥することにより、該表示部の表示画面からジャケットに表示された各情報を読み取ることができる。
【００４９】
また、必要に応じて、前記表示部の表示画面からジャケットに施されたデザインを楽しむことができ、たとえ運転中であっても、記録媒体に記憶された記憶情報をジャケットデザインと共に、安全に楽しむことができる。
【００５０】
また、使用中の記憶媒体を収容するケースは、ホールダ内に保持されていることから、この記憶媒体をプレーヤから取り出したときに、そのケースを探し回る必要はなく、記憶媒体の片づけが容易におこなえる。
【図面の簡単な説明】
【図１】本発明に係る記録媒体ジャケット表示装置を概略的に示すブロック図である。
【図２】本発明に係るオーディオＣＤケースを示す斜視図である。
【図３】本発明に係る前記表示装置の実施の形態１を概略的に示す説明図である。
【図４】図１に示した前記表示装置の動作を示すフローチャートである。
【図５】本発明に係る前記表示装置の実施の形態２を概略的に示す説明図である。
【符号の説明】
１０  （記録媒体ジャケット表示装置）オーディオＣＤ用ジャケット表示装置
１１  （記録媒体用ケース）ＣＤケース
１２  ホールダ
１３  （撮像部）スキャナ、カメラ
１４  制御部
１４ａ  メモリ
１４ｂ  画像変換処理回路
１５  表示部
１６  操作部
１７  （記録媒体）音楽用ＣＤ
２０  ジャケット
２２  ハンドブレーキ
【図１】
2004265526.tif 000003
【図２】
2004265526.tif 000004
【図３】
2004265526.tif 000005
【図４】
2004265526.tif 000006
【図５】
2004265526.tif 000007